(57)【特許請求の範囲】
【請求項１】
筒状をなす巻芯コアをその軸線を中心に回転可能とする回転手段と、
前記巻芯コアに対し、２枚の帯状の熱可塑性樹脂製のセパレータを固着させるセパレータ固着手段と、
プラス電極箔及びマイナス電極箔をそれぞれ前記巻芯コアの方に向けて供給する電極箔供給手段と、
前記巻芯コアに対し、前記２枚のセパレータを固着させた状態とした上で、前記回転手段の作動に基づき前記巻芯コアを回転させつつ、前記プラス電極箔及びマイナス電極箔を、それぞれ前記各セパレータを介して互いに絶縁状態で巻き取るよう構成してなる巻取装置であって、
前記セパレータ固着手段は、
熱溶着に基づき前記２枚のセパレータを、所定の張力を付与した状態で前記巻芯コアに対し熱溶着可能な熱溶着手段と、
前記熱溶着後、前記セパレータを２枚一度に切断可能で、前記巻芯コアに対し非接触で動作する刃部を有する切断手段とを備え、
前記セパレータの切断に際しては、前記熱溶着時よりも前記巻芯コアを所定角度進角側に回動させた状態で、前記刃部を、前記セパレータの固着部と非固着部との境界部分又はその近傍に当接させることで、前記セパレータが２枚一度に切断されるよう構成されてなる巻取装置。
【請求項２】
前記回転手段は、前記巻芯コアに形成された挿通孔に差込可能であり、かつ、回転可能に支持された回転軸を備えており、
当該回転軸は、前記セパレータ及び前記両電極箔を巻回する巻取ポジションと、前記巻芯コアを着脱する着脱ポジションとに対応して複数設けられているとともに、両ポジション間を移動可能に構成されており、
前記セパレータ固着手段は、前記巻取ポジションに対応して設けられていることを特徴とする請求項１に記載の巻取装置。
【請求項３】
前記刃部は、前記巻芯コアに対して前記セパレータが押さえ付けられる方向に移動可能に構成されていることを特徴とする請求項１又は２に記載の巻取装置。
【請求項４】
前記セパレータの切断に際しては、前記セパレータの側面視において、前記固着部と非固着部とのなす角が鋭角となるよう前記巻芯コアを位置決めさせることを特徴とする請求項１乃至３のいずれかに記載の巻取装置。
【請求項５】
回転可能に設置された巻芯コアに対し、プラス電極箔及びマイナス電極箔を、帯状をなす熱可塑性樹脂製の２枚のセパレータを介して互いに絶縁状態で巻回することにより、前記巻芯コア、前記両電極箔及び前記セパレータからなる巻回素子を製造するための巻回素子の製造方法であって、
前記巻芯コアに対し、前記セパレータを２枚重ね、所定の張力を付与した状態で、熱溶着する熱溶着工程と、
前記熱溶着後、前記巻芯コアに対し非接触で刃部を動作させることで、前記セパレータを２枚一度に切断する切断工程とを備え、
前記セパレータの切断に際しては、前記熱溶着時よりも前記巻芯コアを所定角度進角側に回動させた状態で、前記刃部を、前記セパレータの固着部と非固着部との境界部分又はその近傍に当接させることで、前記セパレータを２枚一度に切断することを特徴とする巻回素子の製造方法。
【請求項６】
前記熱溶着工程に際しては、前回巻き取られた巻回素子から延びる２枚のセパレータを、所定の張力を付与した状態で熱溶着し、その後前記切断工程において、前記セパレータを２枚一度に切断することを特徴とする請求項５に記載の巻回素子の製造方法。
【請求項７】
前記切断工程に際しては、前記刃部は、前記巻芯コアに対して前記セパレータが押さえ付けられる方向に移動させられることを特徴とする請求項５又は６に記載の巻取装置。
【請求項８】
前記セパレータの切断に際しては、前記セパレータの側面視において、前記固着部と非固着部とのなす角が鋭角となるよう前記巻芯コアを位置決めさせることを特徴とする請求項５乃至７のいずれかに記載の巻回素子の製造方法。
【発明の詳細な説明】
【技術分野】
【０００１】
本発明は、例えば二次電池等に内蔵される巻回素子を得るための巻取装置、及び、巻回素子の製造方法に関する。
【背景技術】
【０００２】
例えば、リチウムイオン電池等の二次電池として用いられる電池素子は、プラス電極箔及びマイナス電極箔と、２枚のセパレータとからなる帯状体が巻回されることで構成されている。
【０００３】
従来、帯状体を巻取るための巻取装置として、回転可能な巻芯（回転軸）に対して前記電極箔やセパレータを巻取り、巻取後において巻回された帯状体（巻回体）を前記回転軸から取り外す方法が知られている。ところが、巻回体の巻き圧力によって、回転軸から巻回体を取り外すことが比較的困難となってしまったり、また、取り外しに際して、セパレータや電極箔の破損等を招いてしまったりするおそれがある。さらに、巻き圧力によって巻回体の中心部分に位置する電極箔やセパレータの端部に位置ずれが生じてしまうおそれがある。このような位置ずれが生じてしまうと、電極箔間の距離が開きすぎてしまい、結果として、巻回体の中心部分が電池としての機能を十分に発揮できなくなってしまうおそれがある。
【０００４】
そこで、このような不具合を解消すべく、回転軸に筒状の巻芯コアを装着し、当該巻芯コアに対して帯状体を巻取り、帯状体の巻取後においては、巻芯コアごと巻回素子を取り外す、つまり、巻芯コアと帯状体とからなる巻回素子を電池素子として用いる技術が提案されている（例えば、特許文献１等参照）。
【０００５】
ところで、上記のような技術においては、先ずは巻芯コアの表面にセパレータを固着し、その上で、セパレータ及び電極箔を巻き取る必要がある。巻芯コアの表面にセパレータを固着する手法としては、第１に、接着テープを用いてセパレータの端縁部分を固着する方法が考えられる（例えば、特許文献２等参照）。第２に、前記接着テープの代わりに、両面接着テープを予め巻芯コアに貼り付け、そして、剥離紙を剥がしたのち、セパレータの端縁部分を両面接着テープに貼り付けるという方法も考えられる。
【０００６】
さらに、第３の方法として、樹脂材料からなるセパレータの端縁部分を、樹脂材料からなる巻芯コアに熱溶着する方法も考えられる（例えば、特許文献３等参照）。
【特許文献１】特開平１０−１４４３３９号公報
【特許文献２】特開平８−２８８２８７号公報
【特許文献３】特開２００１−１８５２２０号公報
【発明の開示】
【発明が解決しようとする課題】
【０００７】
しかしながら、実際には、２枚のセパレータを巻芯コアに固着する必要があるのだが、上記第１の方法、つまり接着テープを用いてセパレータの端縁部分を固着する方法では、２枚のセパレータの端縁を揃えた状態で一遍に固着させることができない。内層側のセパレータがうまく接着されないためである。そのため、第１の方法を採用するにあたり、２枚のセパレータをより確実に固着させるためには、各セパレータの端縁位置を互いにずらした状態で固着させる必要がある。従って、この場合には、２枚のセパレータの端縁を毎回正確にずらした状態で貼り付けたり、長さ調節を行う等複雑な機構が必要となる。また、この場合には、正確な位置合わせに支障を来したりするおそれがあるばかりか、セパレータの蛇行を招いてしまうことも懸念されるため、かかる懸念を払拭するためのより一層複雑な機構が必要となってしまう。
【０００８】
また、第２の方法、つまり、両面接着テープを予め巻芯コアに貼り付け、そこにセパレータの端縁部分を貼り付ける場合においても、上記同様、各セパレータの端縁位置を互いにずらした状態で固着させる必要がある。しかも、第２の方法では、両面接着テープを用いる必要性があることから、コストの増大を招き、また剥離紙を除去する機構も別途必要となる。
【０００９】
一方、第３の方法、つまり、樹脂材料からなるセパレータの端縁部分を、樹脂材料からなる巻芯コアに熱溶着する方法においては、２枚のセパレータの端縁を揃えて固着することはできなくはない。例えば、上記特許文献３に記載された技術では、セパレータの端縁を揃えて互いに熱溶着しておき、当該熱溶着部分を巻芯コアに熱溶着する旨が記載されている。ところが、第３の方法では、セパレータの端縁を揃えて熱溶着する作業と、当該熱溶着部分（端縁部分）を巻芯コアに熱溶着する作業とが必要になり、かかる意味で機構の複雑化を招いてしまう。
【００１０】
これに対し、図８（ａ）に示すように、所定の張力が付与されている２枚のセパレータ１０３，１０４を、巻芯コア１０２に対し同時に熱溶着した後、セパレータ１０３，１０４の非溶着部分のうち、今回の巻取りとは無関係の側（図では左側）をカッタ１０５で切断することで、結果的に端縁部を揃えるという方法も考えられる。
【００１１】
しかしながら、当該方法においては、巻芯コア１０２の損傷を防止する必要があることから、カッタ１０５を巻芯コア１０２に当接させる訳にはいかない。そのため、同図に示すように、カッタ１０５を巻芯コア１０２に対し非接触で動作させなければならず、この場合には、図８（ｂ）に示すように、セパレータ１０３．１０４の非溶着部分が発生してしまう。従って、その後において巻回を行うと、前記非溶着部分が折れ曲がり、ひいては図８（ｃ）に示すように、非溶着部分が折れ曲がったまま巻き取られてしまうおそれがある。その結果、部分的に厚みが相違する箇所が生じてしまい、均一な安定した巻取りに支障が生じてしまうおそれがある。また、当該折れ曲がった非溶着部分に起因して、セパレータ１０３，１０４の破損を招いたり、蛇行が生じてしまったりするおそれもある。
【００１２】
本発明は上記事情を鑑みてなされたものであり、その目的は、機構の複雑化、コストの増大を招くことなく、安定した均質な巻回を実現することのできる巻取装置及び巻回素子の製造方法を提供することにある。
【課題を解決するための手段】
【００１３】
以下、上記目的を解決するのに適した各手段につき、項分けして説明する。なお、必要に応じて対応する手段に特有の作用効果を付記する。
【００１４】
手段１．筒状をなす巻芯コアをその軸線を中心に回転可能とする回転手段と、
前記巻芯コアに対し、２枚の帯状の熱可塑性樹脂製のセパレータを固着させるセパレータ固着手段と、
プラス電極箔及びマイナス電極箔をそれぞれ前記巻芯コアの方に向けて供給する電極箔供給手段と、
前記巻芯コアに対し、前記２枚のセパレータを固着させた状態とした上で、前記回転手段の作動に基づき前記巻芯コアを回転させつつ、前記プラス電極箔及びマイナス電極箔を、それぞれ前記各セパレータを介して互いに絶縁状態で巻き取るよう構成してなる巻取装置であって、
前記セパレータ固着手段は、
熱溶着に基づき前記２枚のセパレータを、所定の張力を付与した状態で前記巻芯コアに対し熱溶着可能な熱溶着手段と、
前記熱溶着後、前記セパレータを２枚一度に切断可能で、前記巻芯コアに対し非接触で動作する刃部を有する切断手段とを備え、
前記セパレータの切断に際しては、前記熱溶着時よりも前記巻芯コアを所定角度進角側に回動させた状態で、前記刃部を、前記セパレータの固着部と非固着部との境界部分又はその近傍に当接させることで、前記セパレータが２枚一度に切断されるよう構成されてなる巻取装置。
【００１５】
上記手段１によれば、セパレータ固着手段により、巻芯コアに対し、２枚の帯状のセパレータが固着される。その上で、回転手段の作動に基づき巻芯コアが回転されつつ、電極箔供給手段によりプラス電極箔及びマイナス電極箔が巻芯コアの方に向けて供給され、それぞれ各セパレータを介して互いに絶縁状態で巻き取られる。そして、最終的には、巻芯コアごと取り外されることで、巻回素子が得られる。
【００１６】
さて、手段１では、２枚のセパレータが、所定の張力が付与された状態で、セパレータ固着手段の熱溶着手段によって、熱溶着に基づき、巻芯コアに対し固着される。また、熱溶着後、巻芯コアに対し非接触で動作する切断手段の刃部によって、セパレータが２枚一度に切断される。このため、従来の第１、第２の方法のようにセパレータの端縁部分をずらして固着する必要がなく、また従来の第３の方法のように端縁を揃えて溶着する必要がない。そのため、機構の煩雑化を抑制でき、コストの増大を抑制することができる。また特に、手段１では、セパレータの切断に際しては、前記熱溶着時よりも巻芯コアを所定角度進角側に回動させた状態で、セパレータの固着部と非固着部との境界部分又はその近傍に刃部を当接させる（例えば押さえ付ける）ことで、セパレータが２枚一度に切断される。従って、今回の巻取りとは無関係の側において余分なセパレータの非溶着部分がほとんど発生しない。そのため、その後の巻回に際し、非溶着部分が折れ曲がったまま巻取られてしまうといった事態を回避できる。その結果、非溶着部分が折れ曲がったまま巻取られることに起因する不具合を防止でき、安定した均質な巻回を実現することができる。
【００１７】
尚、「巻芯コアを所定角度進角側に回動させ」の「進角側」とあるのは、セパレータを巻取る側を意味するものである。
【００１８】
手段２．前記回転手段は、前記巻芯コアに形成された挿通孔に差込可能であり、かつ、回転可能に支持された回転軸を備えており、
当該回転軸は、前記セパレータ及び前記両電極箔を巻回する巻取ポジションと、前記巻芯コアを着脱する着脱ポジションとに対応して複数設けられているとともに、両ポジション間を移動可能に構成されており、
前記セパレータ固着手段は、前記巻取ポジションに対応して設けられていることを特徴とする手段１に記載の巻取装置。
【００１９】
上記手段２によれば、巻取ポジションに位置する回転軸においては、セパレータ及び両電極箔が巻回される。一方、着脱ポジションに位置する回転軸においては、巻芯コアが着脱される。すなわち、巻回が完了した巻回素子が取り外され、新たに巻芯コアが装着される。各回転軸は、両ポジション間を移動し得る。さらに、セパレータ固着手段は、巻取ポジションに対応して設けられている。そして、その熱溶着手段では、前記着脱ポジション（の巻回素子）から延びる２枚のセパレータが、所定の張力が付与された状態で熱溶着される。さらに、当該熱溶着後、切断手段により、セパレータが２枚一度に切断される。
【００２０】
このように、手段２では、着脱ポジションに移動した前回の巻回素子から延びる２枚のセパレータが未だ切断されることなく繋がったままの状態で、巻回ポジションに位置する巻芯コアに対し熱溶着され、その後、セパレータが２枚一度に切断される。そのため、逐一セパレータの先端縁同士を位置合わせすることなく先端が揃った状態で巻芯コアに固着されることとなる。そのため、構成面での飛躍的な簡素化を図ることができる。また、所定の張力が付与された状態で熱溶着されるため、セパレータの蛇行等を懸念する必要もなくなる。
【００２１】
手段３．前記刃部は、前記巻芯コアに対して前記セパレータが押さえ付けられる方向に移動可能に構成されていることを特徴とする手段１又は２に記載の巻取装置。
【００２２】
上記手段３によれば、巻芯コアに対してセパレータが押さえ付けられる方向に刃部が移動することで切断が行われる。このため、刃部の接触に起因して固着部が剥離してしまうといった事態を防止でき、より確実な切断が実現できる。
【００２３】
手段４．前記セパレータの切断に際しては、前記セパレータの側面視において、前記固着部と非固着部とのなす角が鋭角となるよう前記巻芯コアを位置決めさせることを特徴とする手段１乃至３のいずれかに記載の巻取装置。
【００２４】
上記手段４によれば、固着部と非固着部とのなす角が鋭角となるよう巻芯コアが位置決めされた状態で、セパレータの切断が行われる。このため、固着部と非固着部との境界部分により近い位置に刃部を及ばせることができ、ひいては、非溶着部分がほとんど生じないようにすることができる。また、より円滑な切断を実現することができる。
【００２５】
手段５．回転可能に設置された巻芯コアに対し、プラス電極箔及びマイナス電極箔を、帯状をなす熱可塑性樹脂製の２枚のセパレータを介して互いに絶縁状態で巻回することにより、前記巻芯コア、前記両電極箔及び前記セパレータからなる巻回素子を製造するための巻回素子の製造方法であって、
前記巻芯コアに対し、前記セパレータを２枚重ね、所定の張力を付与した状態で、熱溶着する熱溶着工程と、
前記熱溶着後、前記巻芯コアに対し非接触で刃部を動作させることで、前記セパレータを２枚一度に切断する切断工程とを備え、
前記セパレータの切断に際しては、前記熱溶着時よりも前記巻芯コアを所定角度進角側に回動させた状態で、前記刃部を、前記セパレータの固着部と非固着部との境界部分又はその近傍に当接させることで、前記セパレータを２枚一度に切断することを特徴とする巻回素子の製造方法。
【００２６】
上記手段５によれば、基本的には、上記手段１と同様の作用効果が奏される。
【００２７】
手段６．前記熱溶着工程に際しては、前回巻き取られた巻回素子から延びる２枚のセパレータを、所定の張力を付与した状態で熱溶着し、その後前記切断工程において、前記セパレータを２枚一度に切断することを特徴とする手段５に記載の巻回素子の製造方法。
【００２８】
上記手段６によれば、基本的には、上記手段２と同様の作用効果が奏される。
【００２９】
手段７．前記切断工程に際しては、前記刃部は、前記巻芯コアに対して前記セパレータが押さえ付けられる方向に移動させられることを特徴とする手段５又は６に記載の巻取装置。
【００３０】
上記手段７によれば、基本的には、上記手段３と同様の作用効果が奏される。
【００３１】
手段８．前記セパレータの切断に際しては、前記セパレータの側面視において、前記固着部と非固着部とのなす角が鋭角となるよう前記巻芯コアを位置決めさせることを特徴とする手段５乃至７のいずれかに記載の巻回素子の製造方法。
【００３２】
手段８によれば、基本的には上記手段４と同様の作用効果が奏される。
【００３３】
尚、「前記巻芯コアの表面の少なくとも一部に対し、熱可塑性樹脂製の被覆体又は接着テープからなる被覆層を設ける被覆層付与工程を具備し、前記熱溶着工程に際しては、は、前記被覆層に対し前記セパレータを２枚重ねた状態で、同時に熱溶着すること」としてもよい。この場合、直接巻芯コアにセパレータを熱溶着する必要がないため、巻芯コアの素材としては何ら限定されることがないという作用効果が奏される。
【発明を実施するための最良の形態】
【００３４】
以下に、一実施形態について図面を参照しつつ説明する。
【００３５】
まず、本実施形態の巻取装置によって得られる巻回素子としてのリチウムイオン電池素子の構成について説明する。図１に示すように、リチウムイオン電池素子（以下、「電池素子」と称す）１は、筒状の巻芯コア２に対して、２枚のセパレータ３，４とプラス電極箔５とマイナス電極箔６とによって構成される帯状体７が巻回されることで構成されている。尚、図１においては、説明の便宜上、セパレータ３，４、プラス電極箔５、及び、マイナス電極箔６の相互の間隔をあけて示している箇所がある。
【００３６】
本実施形態において、巻芯コア２は、十分な剛性を有する材料（例えば、アルミニウム等）により形成されている。また、当該巻芯コア２は、断面非円形状（本実施形態では、断面正方形状）の挿通孔８を有している。（図３等参照）。
【００３７】
セパレータ３，４は、巻芯コア２の長手方向に沿った長さと同一の幅を有するものであり、異なる電極箔５，６同士が互いに接触して短絡を起こしてしまうのを防止すべく絶縁体、特に本実施形態では熱可塑性樹脂素材たるポリプロピレン（ＰＰ）により構成されている。
【００３８】
プラス電極箔５及びマイナス電極箔６もまた、セパレータ３，４と同様、巻芯コア２の長手方向に沿った長さとほぼ同一の幅を有するものである。さらに、プラス電極箔５及びマイナス電極箔６の表裏両面には図示しない活物質が塗布されており、当該活物質を介して、プラス電極箔５及びマイナス電極箔６間におけるイオン交換ができるようになっている。より詳しくは、充電時には、プラス電極箔５側からマイナス電極箔６側へイオンが移動し、反対に、放電時には、マイナス電極箔６側からプラス電極箔５側へとイオンが移動する。また、プラス電極箔５の幅方向一端縁からは図示しない複数の正極リードが延出するとともに、マイナス電極箔６の幅方向他端縁からは図示しない複数の負極リードが延出している。
【００３９】
リチウムイオン電池を得るに際しては、前記電池素子１が金属製で筒状をなす電池容器（図示せず）内に配設されるとともに、前記正極リード及び負極リードがそれぞれまとめられる。そして、まとめられた正極リードを正極端子部品（図示せず）に接続するとともに、同じくまとめられた負極リードを負極端子部品（図示せず）に接続し、両端子部品を前記電気容器の両端開口に設けることで、リチウムイオン電池を得ることができる。
【００４０】
次に、前記電池素子１を製造するための巻取装置１１について説明する。図２に示すように、巻取装置１１は、回転可能に設けられたターレット１２を備えている。該ターレット１２は、２枚の円盤状のテーブル１４，１５が相対向するようにして構成されており、両テーブル１４，１５間に跨って、回転手段２０が、テーブル１４，１５の中心を対称中心として２つ設けられている。尚、両テーブル１４，１５（ターレット１２）は時計回りに回転可能に構成されているとともに、両テーブル１４，１５が同期回転するように設定されている。これにより、各回転手段２０が着脱ポジションＰ１及び巻取ポジションＰ２間を移動することができるようになっている。尚、両テーブル１４，１５は、１８０°ずつ反転可能となっていてもよい。
【００４１】
図３にしたがって回転手段２０の一例について説明すると、回転手段２０は、軸線Ｃ方向に延び、軸線Ｃ方向一端側のテーブル１４から他端側のテーブル１５に向けて突出する回転軸としての巻芯２１と、前記軸線Ｃ方向に延び、軸線Ｃ方向他端側のテーブル１５から一端側のテーブル１４に向けて突出する巻芯受け３１とから構成されている。
【００４２】
前記巻芯２１は、全体として棒状をなしており、軸線Ｃ方向他端側に延びる基部２２と、当該基部２２から軸線Ｃ方向他端側に延びる装着部２３と、前記基部２２及び装着部２３間に形成されたテーパ段差部２４とから構成されている。また、基部２２、装着部２３、及び、テーパ段差部２４の中心軸はそれぞれ前記軸線Ｃと一致している。
【００４３】
前記基部２２は、円柱状をなし、図示しない駆動手段によって、前記テーブル１４に対し軸線Ｃ方向に沿って相対移動可能（出没可能）に構成されている。これにより、前記巻芯受け３１に対して巻芯２１が接離可能となっている。加えて、基部２２は、図示しない回転駆動手段（例えば、モータ）によって、軸線Ｃを回転軸としてテーブル１４に対して相対回転可能となっており、ひいては巻芯２１全体が軸線Ｃを回転軸として相対回転可能となっている。すなわち、回転駆動手段は帯状体７を巻取る際の巻取動力として機能する。
【００４４】
前記装着部２３は、電池素子１の製造時において、前記巻芯コア２がその外周部分に装着されるものである。当該装着部２３は、棒状をなすとともに、前記巻芯コア２の挿通孔８の断面形状に対応すべく断面非円形状（本実施形態では、断面正方形状）に形成されている。さらに、装着部２３は、前記基部２２よりも細化されており、また、装着部２３の先端側面部には、軸線Ｃ方向へと延びる一対の先割れ部２５が形成されている。加えて、当該先割れ部２５の内周部分には、後述する受けピン３３を嵌合可能な図示しない嵌合凹部が形成されている。
【００４５】
一方、前記巻芯受け３１は、円柱状をなす支持部３２と、当該支持部３２に一体形成され、軸線Ｃ方向一端側に向けて突出する受けピン３３と、当該受けピン３３の外周側に設けられ、先端筒状の受け部３４とを備えている。尚、支持部３２、受けピン３３、及び、受け部３４のそれぞれの中心軸は、前記軸線Ｃと一致している。
【００４６】
前記支持部３２は、前記テーブル１５に対して軸線Ｃを回転軸として相対回転（本実施形態では、自由回転）可能、かつ、軸線Ｃ方向に相対移動不能に支持されている。
【００４７】
前記受けピン３３は、円柱状をなすとともに、その外周面の大部分が軸線Ｃと略平行となるように構成されている。当該受けピン３３は、前記受け部３４の内側に配設されており、また、その外径は、前記嵌合凹部の内径と同径或いは若干大径となるように構成されている。尚、受けピン３３は、前記嵌合凹部への嵌合をより容易なものとすべく、その先端部分が先細り形状となっている。
【００４８】
前記受け部３４は、前記巻芯コア２の外径と略等しい外径を有しており、その先端面が前記巻芯コア２の一端面と当接可能な被当接面３５となっている。また、受け部３４と受けピン３３との間の環状空間は、装着部２３の先端部を収容可能な収容凹部３６となっており、前記受けピン３３が、前記嵌合凹部に嵌合された際には、装着部２３の先端部が前記収容凹部３６に収容されるようになっている。
【００４９】
上記のように構成されている回転手段２０にあっては、後記する着脱装置１３によって、装着部２３に巻芯コア２が取付けられる。そして、基部２２を軸線Ｃ方向に沿って他端側（テーブル１５側）へと相対移動させることで、受けピン３３が前記嵌合凹部に嵌合されるとともに、受け部３４の収容凹部３６に対して装着部２３の先端部が挿入される。このとき、装着部２３の先端部が受けピン３３によって外周側へ広げられることとなり、ひいては巻芯コア２の他端部が前記装着部２３によって内周側から保持されることとなる。併せて、巻芯コア２の一端部が、前記テーパ段差部２４に当接・保持されることとなる。さらに、巻芯コア２の他端の当接面が、受け部３４の被当接面３５に当接する。このようにして巻芯コア２が、回転手段２０に装着される。
【００５０】
説明を図２の巻取装置１１に戻す。前記２つの回転手段２０が、前記ターレット１２の回動により、着脱ポジションＰ１（図の右側位置）と、巻取ポジションＰ２（図の左側位置）との間を移動可能である点については上述したが、本実施形態では、着脱ポジションＰ１に対応して、後述する巻芯コア２の取付及び電池素子１の取外を行うための着脱装置１３が設けられている。
【００５１】
また、巻取ポジションＰ２は、前記巻芯コア２に対し帯状体７を巻回するポジションであって、当該巻取ポジションＰ２に対応して、帯状体７を供給するための帯状体供給機構が設けられている。尚、図２では、説明の便宜上、帯状体供給機構のうちプラス電極箔供給手段１６及びマイナス電極箔供給手段１７が図示されている。
【００５２】
さらに、本実施形態では、前記巻取ポジションＰ２に対応して、セパレータ固着手段４１が設けられている。セパレータ固着手段４１は、接着テープ貼付手段４２と、熱溶着手段４３と、前記セパレータ３，４を切断可能な切断手段４４とを備えている。接着テープ貼付手段４２は、前記セパレータ３，４と同一素材（本実施形態ではＰＰ）よりなる接着テープ５１を巻芯コア２の表面に対し貼付けるべく、テープ供給手段と、貼付用のローラと、テープをカットするテープカッタとを備えている（いずれも図示せず）。本実施形態では、前記接着テープ貼付手段４２により、巻芯コア２の長手方向両端縁に、丁度１周分の長さの接着テープ５１を貼付可能に構成されている（図６（ａ）における散点模様参照）。
【００５３】
また、熱溶着手段４３は、ヒータブロック４３ａ（図５（ｃ）参照）を具備している。そして、前記着脱ポジションＰ１に位置する前回巻回された電池素子１から延びる２枚のセパレータ３，４に所定の張力を付与した状態で、ヒータブロック４３ａは当該セパレータ３，４を巻芯コア２に押し付け可能に構成されている。さらに、切断手段４４は、前記熱溶着後、前記セパレータ３，４を２枚一度に切断することができるように構成され、巻芯コア２に対し非接触で動作する刃部４４ａを有している。刃部４４ａは、セパレータ３，４の溶着面とは反対面側における、図５（ｅ）に示す退避位置と、図５（ｆ）に示す切断位置との間を往復移動可能となっている。
【００５４】
次に、上述した巻取装置１１を用いて、電池素子１を製造するための方法について説明する。
【００５５】
まず、ターレット１２を時計回りに半回転させることで、一方の回転手段２０を着脱ポジションＰ１へと移動させる。このとき、他方の回転手段２０は巻取ポジションＰ２に位置することとなる。例えば、図４に示す例では、それまで巻取ポジションＰ２に位置しており帯状体７の巻回がほぼ完了した回転手段２０が、着脱ポジションＰ１へと移動させられる。一方、それまで着脱ポジションＰ１に位置しており新たな巻芯コア２の装着された回転手段２０が巻取ポジションＰ２へと移動させられる。
【００５６】
かかる巻取ポジションＰ２に位置する回転手段２０においては、巻芯コア２が装着されているのであるが、当初、当該巻芯コア２には何も巻き付けられていない。この状態において、先ず接着テープ貼付手段４２により、図５（ａ），（ｂ）に示すように、ＰＰ製の接着テープ５１が巻芯コア２の表面に対し貼付けられる。上記のとおり、本実施形態では巻芯コア２の長手方向両端縁に、丁度１周分の長さの接着テープ５１が貼付される。
【００５７】
次に、熱溶着手段４３が作動させられる。このとき、現時点で着脱ポジションＰ１に位置する前回巻回された電池素子１から延びる２枚のセパレータ３，４には所定の張力が付与させられており、この状態で、図５（ｃ），（ｄ）に示すように、ヒータブロック４３ａが移動させられることでセパレータ３，４が巻芯コア２に対し押し付けられる。このとき、巻芯コア２の表面には接着テープ５１が貼付けられており、接着テープ５１、セパレータ３，４は相互に同一素材により構成されていることから、相互に溶け合い、同時に熱溶着が施されることとなる。この例においては、接着テープ５１と下層のセパレータ３とが溶着するとともに、上層のセパレータ４と下層のセパレータ４とが溶着する。これにより、２枚のセパレータ３，４が巻芯コア２に対し同時に固着されることとなる。
【００５８】
固着完了後、図５（ｅ）に示すように、回転手段２０（巻芯２１）が所定角度進角側に（巻取側に）回動させられる。これにより、セパレータ３，４が鋭角状に屈曲することとなる。すなわち、セパレータ３，４の側面視において、固着された部分（固着部ＫＴ）と固着されていない部分（非固着部ＵＫ）とのなす角θが鋭角となるよう巻芯コア２を位置決めさせる（この場合において、固着部ＫＴに関しては、非固着部ＵＫとの境界部分の接線に基づき角θが決定される）。そして、この状態から図５（ｆ）に示すように、切断手段４４（刃部４４ａ）が作動させられることで、セパレータ３，４が２枚一度に切断されることとなる。このとき、刃部４４ａが前記鋭角状の部分、つまり、固着部ＫＴと非固着部ＵＫとの境界部分又はその近傍を切断することで、丁度熱溶着部分が先端に位置するような切断が実現できる。つまり、セパレータ３，４の先端がきれいに揃った状態で、セパレータ３，４を巻芯コア２に固着させることができる。
【００５９】
それ以降巻取ポジションＰ２においては、回転手段２０（巻芯２１）の回転が行われる。そして、所定タイミングが到来したならば、プラス電極箔供給手段１６及びマイナス電極箔供給手段１７が作動させられ、各電極箔５，６が巻芯コア２の方に向けて供給される。これにより、プラス電極箔５及びマイナス電極箔６が、それぞれ各セパレータ３，４を介して互いに絶縁状態で巻き取られることとなる。帯状体７の巻回がほぼ完了したならば、ターレット１２を時計回りに半回転させることで、先ほどの回転手段２０が着脱ポジションＰ１へと移動させられる。そして、前述した切断手段４４により切断された残りのセパレータ３，４が完全に巻き取られ、テープ止めが施されることで巻取が完了する。その後、巻芯２１を巻芯受け３１から離間する方向へと相対移動させ、前記受けピン３３を嵌合凹部から抜き外すことで、装着部２３による巻芯コア２の保持力が解除されることとなる。その上で、帯状体７の巻回された巻芯コア２を、巻芯コア２ごと装着部２３から取り外すことで電池素子１が得られる。
【００６０】
尚、上記例においては、既に着脱ポジションＰ１に前回巻回された電池素子１が存在する場合において、そこから延びる２枚のセパレータ３，４に所定の張力を付与させた状態で、熱溶着が施される場合について具体的な説明を行うこととした。これに対し、着脱ポジションＰ１に前回巻回された電池素子１が存在しない場合においても、図示しないセパレータ供給手段により供給されたセパレータ３，４に所定の張力を付与し、熱溶着及び余剰セパレータ３，４の切断を行うことで、上記と同様の固着を実現することができる。
【００６１】
以上詳述したように、本実施形態によれば、所定の張力が付与された状態で、２枚のセパレータ３，４が、熱溶着手段４３によって、熱溶着に基づき、巻芯コア２に対し固着される。また、熱溶着後、巻芯コア２に対し非接触で動作する切断手段４４の刃部４４ａによって、セパレータ３，４が２枚一度に切断される。このため、従来技術で記した第１、第２の方法のようにセパレータの端縁部分をずらして固着する必要がなく、また従来の第３の方法のように端縁を揃えて溶着する必要がない。そのため、機構の煩雑化を抑制でき、コストの増大を抑制することができる。また特に、本実施形態ではセパレータ３，４の切断に際しては、熱溶着時よりも巻芯コア２を所定角度進角側に回動させた状態で、セパレータ３，４の固着部ＫＴと非固着部ＵＫとの境界部分又はその近傍に刃部４４ａを当接させることで、セパレータ３，４が２枚一度に切断される。従って、今回の巻取りとは無関係の側においてセパレータ３，４の非溶着部分がほとんど発生しない。そのため、その後の巻回に際し、非溶着部分が折れ曲がったまま巻取られてしまうといった事態を回避できる。その結果、非溶着部分が折れ曲がったまま巻取られることに起因する不具合を防止でき、安定した均質な巻回を実現することができる。
【００６２】
また、本実施形態では、着脱ポジションＰ１に移動した前回の巻回素子から延びる２枚のセパレータ３，４が未だ切断されることなく繋がったままの状態で、巻回ポジションＰ２に位置する巻芯コア２に対し熱溶着され、その後、セパレータ３，４が２枚一度に切断される。そのため、逐一セパレータ３，４の先端縁同士を位置合わせすることなく先端が揃った状態で巻芯コアに固着されることとなる。そのため、構成面での飛躍的な簡素化を図ることができる。また、所定の張力が付与された状態で熱溶着されるため、セパレータ３，４の蛇行等を懸念する必要もなくなる。
【００６３】
また、本実施形態では巻芯コア２に対してセパレータ３，４が押さえ付けられる方向に刃部４４ａが移動することで切断が行われる。このため、刃部４４ａの接触に起因して固着部ＫＴが剥離してしまうといった事態を防止でき、より確実な切断が実現できる。
【００６４】
さらに、本実施形態では固着部ＫＴと非固着部ＵＫとのなす角θが鋭角となるよう巻芯コア２が位置決めされた状態で、セパレータ３，４の切断が行われる。このため、固着部ＫＴと非固着部ＵＫとの境界部分により近い位置に刃部４４ａを及ばせることができ、ひいては、余分な非溶着部分がほとんど生じないようにすることができる。また、より円滑な切断を実現することができる。
【００６５】
併せて、本実施形態では、巻芯コア２の表面の少なくとも一部に対し、ＰＰ製の接着テープ５１が貼付けられる。そして、熱溶着手段４３により、接着テープ５１に対しセパレータ３，４が２枚重ねられた状態で、同時に熱溶着される。つまり、直接巻芯コア２にセパレータ３，４を熱溶着する必要がない。そのため、巻芯コア２の素材は何ら限定されることなく、例えば本実施形態のようなアルミニウム等の金属素材等をも用いることができる。かかる意味で、巻芯コア２の素材に自由度をもたせることができる。
【００６６】
尚、上記実施形態の記載内容に限定されず、例えば次のように実施してもよい。勿論、以下において例示しない他の応用例、変更例も当然可能である。
【００６７】
（ａ）上記実施形態では、巻芯コア２の長手方向両端部分に接着テープ５１を貼付ける構成を採用しているが、必ずしもこのような構成に限定されるものではない。例えば、図６（ｂ）に示すように、巻芯コア２の長手方向全域に接着テープ５１を貼付けることとしてもよい。また、図６（ｃ）に示すように、巻芯コア２の長手方向中央部分にも接着テープ５１を貼付けることとしてもよい。
【００６８】
また、上記実施形態では、巻芯コア２の表面に対し、丁度１周分の長さの接着テープ５１を貼付けることとしているが、１周分以上の接着テープ５１を貼付けることとしてもよいし、図６（ｄ）に示すように、全周に至らない範囲で部分的に接着テープ５１を貼付けることとしてもよい。
【００６９】
（ｃ）上記実施形態では、巻芯コア２の素材としてアルミニウムを例示したが、他の素材、例えばＰＰ等の樹脂素材により構成してもよい。このように、巻芯コア２を熱可塑性樹脂材料により構成した場合、上記実施形態における接着テープ５１を貼付ける工程を省略することができる。すなわち、図７（ａ）〜（ｄ）に示すように、ヒータブロック４３ａが移動させられることでセパレータ３，４が巻芯コア２に対し押し付けられる。このとき、巻芯コア２がＰＰよりなる場合、巻芯コア２及びセパレータ３，４は相互に同一素材により構成されていることから、相互に溶け合い、２枚のセパレータ３，４が巻芯コア２に対し直接的に固着されることとなる。そして、固着完了後、上記実施形態と同様、回転手段２０（巻芯２１）が所定角度進角側に（巻取側に）回動させられ、この状態から切断手段４４（刃部４４ａ）が作動させられることで、セパレータ３，４が２枚一度に切断されることとなる。
【００７０】
（ｄ）上記実施形態では、巻芯コア２の挿通孔８が断面正方形状とされるとともに、装着部２３が断面正方形状とされることによって、巻芯２１（装着部２３）に対する巻芯コア２の相対回転が規制されているが、巻芯コア２の挿通孔８及び装着部２３の断面形状については、断面正方形状に限定されるものではなく、例えば、断面六角形状等の多角形状や断面小判状等としてもよい。
【００７１】
（ｅ）上記実施形態における回転手段２０はあくまでも一例であって、他の構成を採用してもよいことは言うまでもない。例えば、上記例では受けピン３３は支持部３２と一体化して形成されているが、受けピン３３を支持部３２とは別体で設け、受けピン３３を支持部３２に対して軸線Ｃ方向に沿って移動（出没）可能に構成することとしてもよい。
【００７２】
（ｆ）上記実施形態では、セパレータ３，４の素材（及び接着テープ５１の素材）としてＰＰを例示したが、他の熱可塑性樹脂素材であってもよい。例えば、ポリエチレンに代表される他のポリオレフィン系樹脂、ポリエチレンテレフタレート等のポリエステル系樹脂、ポリアミド樹脂等であってもよい。また、必ずしも両者が同一素材でなくてもよい。
【００７３】
（ｇ）上記実施形態では、巻取装置１１によって、リチウムイオン電池の電池素子１が製造されているが、巻取装置１１によって製造される巻回素子はこれに限定されるものではなく、例えば、電解コンデンサの巻回素子等を製造することとしてもよい。
【００７４】
（ｈ）上記実施形態では、接着テープ５１を被覆層の１態様として説明しているが、例えば軟化若しくは溶融した、或いは所定の溶媒にて溶解された熱可塑性樹脂材料を巻芯コアの表面に付着、固化させることで設けられた樹脂コーティング層を被覆層として具体化してもよい。
【図面の簡単な説明】
【００７５】
【図１】一実施形態における電池素子の構成を示すための断面模式図である。
【図２】巻取装置を示す正面模式図である。
【図３】回転手段等を示す斜視図である。
【図４】ターレットを半回転させた状態における巻取装置を示す正面模式図である。
【図５】（ａ）〜（ｆ）はセパレータの固着、切断過程を示す断面模式図である。
【図６】（ａ）は本実施形態における巻芯コア及び接着テープを示す斜視図であり、（ｂ）〜（ｄ）は別の実施形態における巻芯コア及び接着テープを示す斜視図である。
【図７】（ａ）〜（ｄ）は別の実施形態におけるセパレータの固着、切断過程を示す断面模式図である。
【図８】（ａ）〜（ｃ）は従来技術の不具合を説明するセパレータ等の断面模式図である。
【符号の説明】
【００７６】
１…巻回素子としての電池素子、２…巻芯コア、３，４…セパレータ、５…プラス電極箔、６…マイナス電極箔、７…帯状体、１１…巻取装置、１６…プラス電極箔供給手段、１７…マイナス電極箔供給手段、２０…回転手段、２１…巻芯、４１…セパレータ固着手段、４３…熱溶着手段、４４…切断手段、４４ａ…刃部、Ｐ１…着脱ポジション、Ｐ２…巻取ポジション。
【図１】
0004964821.tif 000002
【図２】
0004964821.tif 000003
【図３】
0004964821.tif 000004
【図４】
0004964821.tif 000005
【図５】
0004964821.tif 000006
【図６】
0004964821.tif 000007
【図７】
0004964821.tif 000008
【図８】
0004964821.tif 000009